(57)【要約】【課題】紙葉類を順番通りに確実に収納することができ、強制的に収納された紙葉類とレジ係などの操作者との紐付けを確実に行うこと。【解決手段】釣銭機は、筐体１と、紙葉類を受け付ける受入部２０と、受入部２０に連結され、受入部２０に受け付けられた紙葉類を搬送する搬送機構７０と、搬送機構７０に設けられ、該搬送機構７０上を搬送される紙葉類を識別する識別部５５と、搬送機構７０の端部に連結され、識別部５５による識別結果に基づいて金種別に紙葉類を収納する金種別収納庫２５ａ，２５ｂ，２５ｃと、を備えている。筐体１には、搬送機構７０の端部に連結され、受入部２０に受け付けられた紙葉類を強制的に収納するテープリール式回収庫１０が、着脱可能に設けられている。釣銭機は、少なくとも操作者に関する情報を含む操作ログ情報を記憶する記憶部５１も備えている。【選択図】図２
2010033439.tif 000002
【特許請求の範囲】
【請求項１】
筐体と、
紙葉類を受け付ける受入部と、
前記受入部に連結され、該受入部に受け付けられた紙葉類を搬送する搬送機構と、
前記搬送機構に設けられ、該搬送機構上を搬送される紙葉類を識別する識別部と、
前記搬送機構の端部に連結され、前記識別部による識別結果に基づいて金種別に紙葉類を収納する金種別収納庫と、
前記筐体に着脱可能に設けられるとともに、前記搬送機構の端部に連結され、前記受入部に受け付けられた紙葉類を強制的に収納するテープリール式回収庫と、
少なくとも操作者に関する情報を含む操作ログ情報を記憶する記憶部と、
を備えたことを特徴とする釣銭機。
【請求項２】
前記記憶部は、操作ログ情報と、強制的に収納された紙葉類に関する情報とを関連させて記憶することを特徴とする請求項１に記載の釣銭機。
【請求項３】
通常の取引を行う通常取引モードと、強制的に紙葉類を収納する強制収納モードとが切換可能となっており、
前記強制収納モードのときには、前記受入部に受け付けられた紙葉類は、前記テープリール式回収庫内に強制的に収納されることを特徴とする請求項１に記載の釣銭機。
【請求項４】
前記強制収納モードは、汚損紙幣を強制的に収納させる汚損紙幣モードと、商品券を強制的に収納させる商品券モードとを有することを特徴とする請求項３に記載の釣銭機。
【請求項５】
前記識別部は、強制収納モードのときに、識別レベルを下げて紙幣を識別することを特徴とする請求項３に記載の釣銭機。
【請求項６】
前記受入部に受け付けられた紙葉類に関する情報が入力可能な入力部をさらに備えたことを特徴とする請求項１に記載の釣銭機。
【請求項７】
前記受入部に受け付けられた紙葉類を、前記搬送機構を介して前記テープリール式収納庫に繰り入れるよう制御する制御部をさらに備え、
前記制御部は、前記テープリール式収納庫と前記搬送機構を制御して、一の操作者のもとで強制的に収納される紙葉類と他の操作者のもとで強制的に収納される紙葉類との間の間隔を、同じ操作者のもとで強制的に収納された紙葉類の間の間隔よりも大きくすることを特徴とする請求項１に記載の釣銭機。
【請求項８】
前記記憶部は、前記テープリール式回収庫に設けられていることを特徴とする請求項１に記載の釣銭機。
【請求項９】
前記記憶部は、前記釣銭機の本体に設けられていることを特徴とする請求項１に記載の釣銭機。
【請求項１０】
筐体と、紙葉類を受け付ける受入部と、該受入部に連結され、該受入部に受け付けられた紙葉類を搬送する搬送機構と、該搬送機構に設けられ、該搬送機構上を搬送される紙葉類を識別する識別部と、該搬送機構の端部に連結され、該識別部による識別結果に基づいて金種別に紙葉類を収納する金種別収納庫と、該筐体に着脱可能に設けられるとともに、該搬送機構の端部に連結され、該受入部に受け付けられた紙葉類を強制的に収納するテープリール式回収庫と、を有する釣銭機と、
前記釣銭機と通信可能な外部装置と、を備え、
前記外部装置は、少なくとも操作者に関する情報を含む操作ログ情報を記憶する記憶部を有することを特徴とする釣銭機システム。
【請求項１１】
筐体と、紙葉類を受け付ける受入部と、該受入部に連結され、該受入部に受け付けられた紙葉類を搬送する搬送機構と、該搬送機構に設けられ、該搬送機構上を搬送される紙葉類を識別する識別部と、該搬送機構の端部に連結され、該識別部による識別結果に基づいて金種別に紙葉類を収納する金種別収納庫と、該筐体に着脱可能に設けられるとともに、該搬送機構の端部に連結され、該受入部に受け付けられた紙葉類を強制的に収納するテープリール式回収庫と、少なくとも操作者に関する情報を含む操作ログ情報を記憶する記憶部と、を有する釣銭機と、
前記筐体から取り外されたテープリール式回収庫を取り付けることができ、該テープリール式回収庫内に収納された紙葉類を一枚ずつ繰り出す繰出装置と、
を備えたことを特徴とする紙葉類処理システム。
【発明の詳細な説明】
【技術分野】
【０００１】
本発明は、受入部に受け付けられた紙葉類を強制的に収納することができる釣銭機および釣銭機システムと、このような釣銭機を含んだ紙葉類処理システムに関する。
【背景技術】
【０００２】
従来、顧客から受け取った貨幣を識別し、真券と鑑別した貨幣を収納し、真券以外と識別された貨幣をリジェクトするＰＯＳ用貨幣処理機（釣銭機）が知られている（特許文献１参照）。特許文献１に記載された釣銭機は、レジ係（操作者）により操作されて、リジェクトされた貨幣を強制入金させるための強制入金キー、強制入金する貨幣の金額を入力するための強制入金金額入力キー等を有するスイッチ手段と、スイッチ手段の強制入金キーによって強制入金された貨幣を収納するとともに、強制入金金額入力キーによって入力された貨幣の金額を強制入金金額データとして記憶する制御部と、を備えている。
【特許文献１】特開平７−２３９９８０号公報
【発明の開示】
【発明が解決しようとする課題】
【０００３】
しかしながら、従来の釣銭機では、強制的に収納された紙葉類は束状に集積されることから、後から収納された紙葉類が先に収納された紙葉類の下方に周り込んでしまうなど、強制的に収納された紙葉類の順番が入れ代わる可能性があった。このため、強制的に収納された紙葉類とレジ係などの操作者との紐付けを確実に行うことができなかった。
【０００４】
本発明は、このような点を考慮してなされたものであり、紙葉類を順番通りに確実に収納することができ、強制的に収納された紙葉類とレジ係などの操作者との紐付けを確実に行うことができる釣銭機および釣銭機システムと、このような釣銭機を含んだ紙葉類処理システムを提供することを目的とする。
【課題を解決するための手段】
【０００５】
本発明による釣銭機は、
筐体と、
紙葉類を受け付ける受入部と、
前記受入部に連結され、該受入部に受け付けられた紙葉類を搬送する搬送機構と、
前記搬送機構に設けられ、該搬送機構上を搬送される紙葉類を識別する識別部と、
前記搬送機構の端部に連結され、前記識別部による識別結果に基づいて金種別に紙葉類を収納する金種別収納庫と、
前記筐体に着脱可能に設けられるとともに、前記搬送機構の端部に連結され、前記受入部に受け付けられた紙葉類を強制的に収納するテープリール式回収庫と、
少なくとも操作者に関する情報を含む操作ログ情報を記憶する記憶部と、
を備えている。
【０００６】
本発明による釣銭機において、
前記記憶部は、操作ログ情報と、強制的に収納された紙葉類に関する情報とを関連させて記憶することが好ましい。
【０００７】
本発明による釣銭機において、
通常の取引を行う通常取引モードと、強制的に紙葉類を収納する強制収納モードとが切換可能となっており、
前記強制収納モードのときには、前記受入部に受け付けられた紙葉類は、前記テープリール式回収庫内に強制的に収納されることが好ましい。
【０００８】
本発明による釣銭機において、
前記強制収納モードは、汚損紙幣を強制的に収納させる汚損紙幣モードと、商品券を強制的に収納させる商品券モードとを有することが好ましい。
【０００９】
本発明による釣銭機において、
前記識別部は、強制収納モードのときに、識別レベルを下げて紙幣を識別することが好ましい。
【００１０】
本発明による釣銭機において、
前記受入部に受け付けられた紙葉類に関する情報が入力可能な入力部をさらに備えたことが好ましい。
【００１１】
本発明による釣銭機において、
前記受入部に受け付けられた紙葉類を、前記搬送機構を介して前記テープリール式収納庫に繰り入れるよう制御する制御部をさらに備え、
前記制御部は、前記テープリール式収納庫と前記搬送機構を制御して、一の操作者のもとで強制的に収納される紙葉類と他の操作者のもとで強制的に収納される紙葉類との間の間隔を、同じ操作者のもとで強制的に収納された紙葉類の間の間隔よりも大きくすることが好ましい。
【００１２】
本発明による釣銭機において、
前記記憶部は、前記テープリール式回収庫に設けられていることが好ましい。
【００１３】
本発明による釣銭機において、
前記記憶部は、前記釣銭機の本体に設けられていることが好ましい。
【００１４】
本発明による釣銭機システムは、
筐体と、紙葉類を受け付ける受入部と、該受入部に連結され、該受入部に受け付けられた紙葉類を搬送する搬送機構と、該搬送機構に設けられ、該搬送機構上を搬送される紙葉類を識別する識別部と、該搬送機構の端部に連結され、該識別部による識別結果に基づいて金種別に紙葉類を収納する金種別収納庫と、該筐体に着脱可能に設けられるとともに、該搬送機構の端部に連結され、該受入部に受け付けられた紙葉類を強制的に収納するテープリール式回収庫と、を有する釣銭機と、
前記釣銭機と通信可能な外部装置と、を備え、
前記外部装置が、少なくとも操作者に関する情報を含む操作ログ情報を記憶する記憶部を有している。
【００１５】
本発明による紙葉類処理システムは、
筐体と、紙葉類を受け付ける受入部と、該受入部に連結され、該受入部に受け付けられた紙葉類を搬送する搬送機構と、該搬送機構に設けられ、該搬送機構上を搬送される紙葉類を識別する識別部と、該搬送機構の端部に連結され、該識別部による識別結果に基づいて金種別に紙葉類を収納する金種別収納庫と、該筐体に着脱可能に設けられるとともに、該搬送機構の端部に連結され、該受入部に受け付けられた紙葉類を強制的に収納するテープリール式回収庫と、少なくとも操作者に関する情報を含む操作ログ情報を記憶する記憶部と、を有する釣銭機と、
前記筐体から取り外されたテープリール式回収庫を取り付けることができ、該テープリール式回収庫内に収納された紙葉類を一枚ずつ繰り出す繰出装置と、
を備えている。
【発明の効果】
【００１６】
本発明によれば、強制的に収納された紙葉類がテープリール式回収庫によって収納されるので、紙葉類を順番通りに確実に収納することができる。そして、記憶部が、少なくとも操作者に関する情報を含む操作ログ情報を記憶するので、テープリール式回収庫に収納された紙葉類と操作者との紐付けを確実に行うことができる。
【発明を実施するための形態】
【００１７】
実施の形態
以下、本発明に係る釣銭機、釣銭機システムおよび紙葉類処理システムの実施の形態について、図面を参照して説明する。ここで、図１乃至図６は本発明の実施の形態を示す図である。
【００１８】
図２に示すように、釣銭機は、筐体１（図１参照）と、紙幣や商品券などの紙葉類を受け付ける入金口２０ａ（図１参照）を有する受入部２０と、受入部２０に連結され、受入部２０に受け付けられた紙葉類を搬送する搬送機構７０と、搬送機構７０に設けられ、搬送機構７０上を搬送される紙葉類を識別する識別部５５と、搬送機構７０の端部に連結され、識別部５５による識別結果に基づいて金種別に紙葉類を収納する金種別収納庫２５ａ，２５ｂ，２５ｃと、を備えている。
【００１９】
このうち、搬送機構７０は、図２に示すように、搬送路７１と、搬送路７１内の紙葉類に駆動力を付与する搬送駆動部（図示せず）と、を有している。また、搬送路７１の所定の箇所には、紙葉類が正常に通過したかを検知するためのセンサＳが配置されている。
【００２０】
また、図２において、金種別収納庫２５ａ，２５ｂ，２５ｃには各々異なる金種の紙幣が集積され、例えば、金種別収納庫２５ａには１，０００円紙幣が集積され、金種別収納庫２５ｂには５，０００円紙幣が集積され、金種別収納庫２５ｃには１０，０００円紙幣が集積されるようになっている。
【００２１】
また、図２に示すように、搬送路７１の別の端部には、出金時に紙幣が搬送される出金一時保留部３０が設けられ、この出金一時保留部３０の隣には、出金時に異常があると判断された紙幣が搬送されて集積される出金リジェクト部３５が連結されている。なお、出金一時保留部３０は、筐体１の外方へと繋がる出金口３０ａを有している（図１参照）。また、入金時に異常があると判断された紙幣は、出金一時保留部３０へ搬送されるよう構成されている。
【００２２】
ところで、本願で「異常」とは識別異常や搬送異常のことを意味する。そして、識別異常とは、識別部５５によって識別された情報が予め記憶された情報と一致しない場合のことを意味している。このような識別異常としては、例えば、汚損紙幣などで金種を識別することができなかったときなどを挙げることができる。
【００２３】
また、搬送異常とは、搬送機構７０によって紙葉類を搬送する際の異常を意味している。このような搬送異常としては、例えば、紙葉類が斜めに搬送されている場合（斜行）や、複数の紙葉類が重なって搬送されている場合（重送）や、複数の紙葉類が所定の間隔を隔てないで搬送されている場合（連鎖）などを挙げることができる。
【００２４】
なお、本実施の形態において、斜行および連鎖は、搬送路７１に設けられたセンサＳからの情報に基づいて判断され、重送は、識別部５５に設けられた厚みセンサ（図示せず）からの情報に基づいて判断される。
【００２５】
また、図２に示すように、搬送路７１のさらに別の端部には、金種別収納庫２５ａ，２５ｂ，２５ｃに収納された紙幣を回収する際に用いられる回収カセット３９が連結されている。
【００２６】
また、図２に示すように、筐体１には、搬送路７１の端部に連結され、受入部２０に受け付けられた紙葉類を強制的に収納するテープリール式回収庫１０が着脱可能に設けられている。
【００２７】
このテープリール式収納庫１０は、図３に示すように、出入口２が設けられたカセット６と、カセット６内に配置された出入口ローラ３ａ，３ｂと、カセット６内に配置され、テープＴが巻き架けられた第一ローラ４ａ，４ｂと、第一ローラ４ａ，４ｂに連結された第一ギヤ１１ａ，１１ｂと、第一ギヤ１１ａ，１１ｂに係合された第二ギヤ１２と、第二ギヤ１２に連結され、テープＴが巻き架けられた第二ローラ７と、を有している。また、出入口ローラ３ａ，３ｂと第一ローラ４ａ，４ｂとの間には、テープＴを案内するアイドラ９ａ，９ｂが配置されている。
【００２８】
また、図３に示すように、第二ローラ７内には第二回転軸８が設けられ、この第二回転軸８には駆動モータ（図示せず）が連結されている。また、第一ローラ４ａ，４ｂ内には第一回転軸５ａ，５ｂが設けられている。なお、本実施の形態では、第二回転軸８が駆動モータによって回転駆動されることによって、第二ギヤ１２が回転駆動され、この第二ギヤ１２に係合している第一ギヤ１１ａ，１１ｂが回転駆動されることとなり、第一ローラ４ａ，４ｂが回転駆動されることとなる。
【００２９】
また、図３に示すように、カセット６の出入口２に対向する位置には、カセット６内に紙葉類を繰り入れる搬送路７１の端部が位置している。この搬送路７１は、対向するローラ１５ａ，１５ｂと、このローラ１５ａ，１５ｂに巻き架けられたベルト７１ａ，７１ｂと、を有している。
【００３０】
また、図２および図３に示すように、テープリール式収納庫１０には、操作日時および操作者に関する操作ログ情報と、紙葉類の種類（紙幣や商品券など）および金種およびからなる紙葉類に関する情報とを関連させて記憶する記憶部５１が設けられている（図６参照）。
【００３１】
また、図２に示すように、釣銭機の本体には、テープリール式収納庫１０、金種別収納庫２５ａ，２５ｂ，２５ｃ、識別部５５、搬送機構７０、センサＳなどに接続され、これらテープリール式収納庫１０、金種別収納庫２５ａ，２５ｂ，２５ｃ、識別部５５、搬送機構７０、センサＳなどを制御する制御部５０が設けられている。そして、この制御部５０は、後述する入力部４０からの信号を受けることによって、通常の取引を行う通常取引モードと、強制的に紙葉類を収納する強制収納モードとが切り換えるように構成されている。さらに、この制御部５０は、テープリール式収納庫１０に設けられた記憶部５１に接続され、記憶部５１に操作ログ情報と紙葉類に関する情報を記憶させるよう構成されている。なお、強制収納モードのときには、受入部２０に受け付けられた紙葉類は、テープリール式回収庫１０内に強制的に収納されることとなる。
【００３２】
なお、制御部５０は、受入部２０に受け付けられた紙葉類を、搬送機構７０を介してテープリール式収納庫１０に繰り入れるよう制御するように構成されている。そして、この制御部５０は、テープリール式収納庫１０と搬送機構７０の搬送路７１の駆動を制御して、一の操作者（例えば、Ａさん）のもとで強制的に収納された紙葉類Ｐ１と他の操作者（例えば、Ｂさん）のもとで強制的に収納された紙葉類Ｐ２との間の間隔Ｇ２を、同じ操作者（例えば、Ａさん）のもとで強制的に収納された紙葉類Ｐ１，Ｐ１の間の間隔Ｇ１よりも大きくするように構成されている（図５および図６参照）。
【００３３】
ところで、強制収納モードは、汚損紙幣を強制的に収納させる汚損紙幣モードと、商品券を強制的に収納させる商品券モードとを有している。そして、強制収納モードの汚損紙幣モードのときには、識別部５５は、識別レベルを下げて紙幣を識別するように構成されている。
【００３４】
また、図１に示すように、筐体１には、識別レベルを下げても識別できない紙幣を強制的に収納するときや、商品券を収納するときなどに、受入部２０に受け付けられた紙葉類に関する情報が入力される入力部４０が設けられている。なお、上述のように、この入力部４０によって、通常取引モードから強制収納モードへ切り換えることも可能となる。
【００３５】
また、図２に示すように、釣銭機にはＰＯＳレジスタ（外部装置）６０が接続され、釣銭機の制御部５０とＰＯＳレジスタ６０とは通信可能となっている。そして、釣銭機は、ＰＯＳレジスタ６０から指示を受けたり、ＰＯＳレジスタ６０へ入金された紙幣に関する情報を提供したりする。なお、このＰＯＳレジスタ６０と、上述した釣銭機とによって、釣銭機システムが構成されている。
【００３６】
ところで、本実施の形態では、筐体１に、受入部２０に受け付けられた紙葉類に関する情報を入力する入力部４０が設けられている態様を用いて説明するが、これに限られることなく、例えば、ＰＯＳレジスタ６０の画面６１がタッチパネルディスプレイからなり、この画面６１が入力部４０として機能するようにしてもよい（図２参照）。
【００３７】
また、本実施の形態では、図４に示すように、釣銭機とは別に、筐体１から取り外されたテープリール式回収庫１０を取り出すことができ、このテープリール式回収庫１０内に収納された紙幣や商品券などの紙葉類を一枚ずつ繰り出す繰出装置８０が設けられている。なお、この繰出装置８０は、テープリール式回収庫１０に設けられた記憶部５１内の操作ログ情報と紙葉類に関する情報を読み出すことができるように構成されている。
【００３８】
また、図４に示すように、繰出装置８０は、繰出筐体８１と、テープリール式回収庫１０を受け入れる受入部８３と、繰出筐体８１内に配置されて、テープリール式回収庫１０から繰り出された紙葉類を搬送する繰出搬送機構８５と、繰出搬送機構８５によって搬送された紙葉類を繰出筐体８１の外方へと放出する放出口８６と、記憶部５１から読み出された操作ログ情報と紙葉類に関する情報を表示する繰出表示部８２と、を有している。なお、この繰出装置８０と、上述した釣銭機とによって、紙葉類処理システムが構成されている。
【００３９】
次に、このような構成からなる本実施の形態の作用について述べる。
【００４０】
（入金時）
最初に、通常の取引を行う通常取引モードにおける、入金時の作用効果について説明する。
【００４１】
まず、受入部２０の入金口２０ａ内に紙幣が挿入されて、受入部２０に紙幣が受け付けられる（図１および図２参照）。このように受入部２０に受け付けられた紙幣は、搬送駆動部（図示せず）からの駆動力を受けつつ搬送路７１内を搬送されて、識別部５５に達せられる（図２参照）。
【００４２】
次に、識別部５５によって、この識別部５５での情報が予め記憶された情報と一致するかどうかが判断される（図２参照）。そして、識別部５５において、予め記憶された金種などの情報と識別された情報とが一致した場合には、正常であると判断され、他方、予め記憶された情報と識別された情報とが一致しない場合には、識別異常であると判断される。
【００４３】
なお、識別部５５（または制御部５０）は、搬送路７１に設けられたセンサＳからの情報に基づいて、紙幣が斜行および連鎖を起こしていないかを判断し、識別部５５に設けられた厚みセンサ（図示せず）からの情報に基づいて、紙幣が重送していないかを判断する（図２参照）。
【００４４】
そして、正常であると判断された紙幣は、金種別収納庫２５ａ，２５ｂ，２５ｃに搬送され、各金種別収納庫２５ａ，２５ｂ，２５ｃに金種別に集積される（図２参照）。他方、識別異常や搬送異常（斜行、連鎖または重送）などの異常があると判断された紙幣は、出金一時保留部３０へ搬送され、出金口３０ａから出金される（図１および図２参照）。
【００４５】
（出金時）
次に、出金時の作用効果について説明する。
【００４６】
まず、金種別収納庫２５ａ，２５ｂ，２５ｃから紙幣が繰り出される。このように繰り出された紙幣は、搬送駆動部からの駆動力を受けつつ搬送路７１内を搬送されて、識別部５５に達せられる（図２参照）。
【００４７】
次に、識別部５５によって、この識別部５５での情報が予め記憶された情報と一致するかどうかが判断される（図２参照）。そして、識別部５５において、予め記憶された情報と識別された情報とが一致した場合には、正常であると判断され、他方、予め記憶された情報と識別された情報とが一致しない場合には、識別異常であると判断される。
【００４８】
そして、正常であると判断された紙幣は、出金一時保留部３０に搬送され、この出金一時保留部３０の出金口３０ａから出金される（図１および図２参照）。他方、識別異常や搬送異常（斜行、連鎖または重送）などの異常があると判断された紙幣は、出金リジェクト部３５に搬送され、この出金リジェクト部３５内に集積される（図２参照）。
【００４９】
（汚損紙幣モード）
次に、強制的に紙葉類を収納する強制収納モードの汚損紙幣モードにおける、入金時の作用効果について説明する。
【００５０】
まず、操作者によって、入力部４０で通常取引モードから強制収納モードの汚損紙幣モードへ切り換える旨の信号が入力され（図１参照）、制御部５０によって、通常取引モードから強制収納モードの汚損紙幣モードへ切り換えられる（図２参照）。このとき、制御部５０によって、記憶部５１に、操作日時および操作者に関する操作ログ情報を記憶される（図６参照）。
【００５１】
次に、受入部２０の入金口２０ａ内に紙幣が挿入され、受入部２０に紙幣が受け付けられる（図１および図２参照）。このように受入部２０に受け付けられた紙幣は、搬送駆動部からの駆動力を受けつつ搬送路７１内を搬送されて、識別部５５に達せられる（図２参照）。
【００５２】
次に、識別部５５によって紙幣が識別される。このとき、識別部５５は、例えば紙幣の大きさのみによって判断するなど、識別レベルを下げて紙幣を識別する。このため、通常取引モードで識別異常と判断された紙幣でも金種を識別することができ、操作者が紙幣の金種を誤って入力したり、実際とは異なる金種を不正に入力したりすることを防止することができる。
【００５３】
なお、このように識別レベルを下げても識別されなかった紙幣は出金一時保留部３０へリジェクトされる（図２参照）。この場合には、操作者によって、リジェクトされた紙幣が、再度、入金口２０ａに挿入されるとともに、入力部４０を用いて手入力で金種が入力される（図１および図２参照）。この場合には、当該紙幣について、識別部５５による識別は行われない。
【００５４】
このとき、識別部５５によって識別された金種、または、入力部４０によって入力された金種に関する情報は、操作日時および操作者に関する操作ログ情報と、関連されて記憶される（図６参照）。
【００５５】
次に、識別部５５を通過した紙幣は、搬送路７１上をテープリール式収納庫１０に向かって搬送される（図２参照）。
【００５６】
このようにテープリール式収納庫１０に向かって搬送された紙幣は、搬送路７１の端部に達する（図２および図３参照）。そして、搬送路７１の端部に達した紙幣は、上方駆動部のベルト１６ａと下方駆動部のベルト１６ｂの間で挟持され、テープリール式収納庫１０内に繰り入れられる（図３参照）。
【００５７】
このとき、制御部５０は、テープリール式収納庫１０と搬送機構７０の搬送路７１の駆動を制御して、一の操作者（例えば、Ａさん）のもとで強制的に収納された紙葉類Ｐ１と他の操作者（例えば、Ｂさん）のもとで強制的に収納された紙葉類Ｐ２との間の間隔Ｇ２を、同じ操作者（例えば、Ａさん）のもとで強制的に収納された紙葉類Ｐ１，Ｐ１の間の間隔Ｇ１よりも大きくして、紙葉類Ｐ１，Ｐ２をテープリール式収納庫１０内に繰り入れる。
【００５８】
このため、後述するように繰出装置８０によってテープリール式収納庫１０から紙葉類Ｐ１，Ｐ２を繰り出す際に（図４参照）、テープリール式収納庫１０内に繰り入れられた紙葉類Ｐ１，Ｐ２の順番、金種および種類と、記憶部５１に記憶された操作ログ情報および紙葉類に関する情報だけではなく、紙葉類Ｐ１，Ｐ２の間隔Ｇ１，Ｇ２も考慮することによって、強制的に収納された紙葉類とレジ係などの操作者との紐付けをより確実に行うことができる。なお、ここで言う紙葉類には、汚損紙幣モードで収納された紙幣と、後述する商品券モードで収納された商品券の両方が含まれる。
【００５９】
上述のように搬送路７１の端部から繰り入れられた紙幣は、出入口ローラ３ａ，３ｂに巻き架けられたテープＴ間に挟持され、第二ローラ７に向かって取り込まれていく（図３参照）。このとき、駆動モータ（図示せず）によって第二ローラ７が反時計回り方向に回転され、第一ローラ４ａ，４ｂが時計回り方向に回転される（図３参照）。
【００６０】
（商品券モード）
次に、強制的に紙葉類を収納する強制収納モードの商品券モードにおける、入金時の作用効果について説明する。
【００６１】
この強制収納モードの商品券モードにおける作用効果は、上述した強制収納モードの汚損紙幣モードにおける作用効果と略同一である。
【００６２】
具体的には、上述のように汚損紙幣では識別部５５による識別が行われるのに対して、商品券では識別部５５による識別が行われることなく、入力部４０を用いて手入力で金種が入力される。この点が両者は異なるが、その他の点では、強制収納モードの商品券モードにおける作用効果は、強制収納モードの汚損紙幣モードにおける作用効果と同一である。
【００６３】
上述のように、強制収納モードの汚損紙幣モードおよび商品券モードでテープリール式回収庫１０内に収納された紙葉類は、繰出装置８０によって繰り出され放出される（図４参照）。具体的には、まず、強制的に収納した紙葉類を含むテープリール式回収庫１０が筐体１から取り外される。次に、このテープリール式回収庫１０が繰出装置８０に取り付けられる。その後、繰出装置８０によって、テープリール式回収庫１０内に収納された紙幣や商品券などの紙葉類が、一枚ずつ繰り出され放出される。
【００６４】
上述のように、本実施の形態によれば、強制的に収納された紙葉類がテープリール式回収庫１０によって収納されるので、紙葉類を順番通りに確実に収納することができる（図３参照）。そして、記憶部５１によって、操作ログ情報が記憶されるので、テープリール式回収庫１０に収納された紙葉類と、操作者との紐付けを確実に行うことができる（図６参照）。
【００６５】
すなわち、従来技術では強制的に収納された紙葉類は束状に集積されることから、後から収納された紙葉類が先に収納された紙葉類の下方に周り込んでしまうなど、強制的に収納された紙葉類の順番が入れ代わる可能性があった。このため、例え紙葉類を強制的に収納させた操作者が誰であるかを記憶していたとしても、強制的に収納された紙葉類とレジ係などの操作者との紐付けを確実に行うことができなかった。
【００６６】
これに対して、本実施の形態では、テープＴの間に紙葉類が挟持されて巻き取られるので、テープリール式回収庫１０に収納される紙葉類は、強制的に収納された順番に必ずなっており、紙葉類を順番通りに確実に収納することができる（図３参照）。
【００６７】
このため、本実施の形態によれば、テープリール式回収庫１０に収納されている紙葉類の順番、金種および種類と、記憶部５１に記憶されている操作日時および操作者に関する操作ログ情報とを比較することによって、強制的に収納された紙葉類とレジ係などの操作者との紐付けを確実に行うことができる（図６参照）。
【００６８】
なお、本実施の形態では、記憶部５１は、操作ログ情報と、金種および種類からなる紙葉類に関する情報とを関連づけて記憶している（図６参照）。このため、テープリール式回収庫１０に収納されている紙葉類の順番、金種および種類を確認する際に、金種および種類からなる紙葉類に関する情報を補助的に用いることができ、強制的に収納された紙葉類と操作者との紐付けを、効率よく行うことができる。
【００６９】
ところで、本実施の形態では、テープリール式回収庫１０に記憶部５１が設けられていているので、繰出装置８０によって紙葉類を繰り出している際に、この繰出装置８０によって記憶部５１に記憶されている操作ログ情報と紙葉類に関する情報を読み出して、繰出表示部８２に表示させることができる（図４参照）。このため、繰出装置８０によって実際に繰り出される紙葉類の順番、金種および種類を、記憶部５１から読み出された操作ログ情報および紙葉類に関する情報と比較しつつ確認することができ、さらに効率よく処理することができる。
【００７０】
ところで、上記では、記憶部５１がテープリール式回収庫１０に設けられている態様を用いて説明したが、これに限られることなく、例えば、釣銭機の本体に記憶部５１が設けられていてもよく、また、ＰＯＳレジスタ６０が記憶部５１を有していてもよい（図２に点線で示した符号“５１”参照）。
【００７１】
このように、釣銭機の本体に記憶部５１が設けられている場合や、ＰＯＳレジスタ６０が記憶部５１を有していている場合には、記憶部５１に記憶された操作ログ情報と紙葉類に関する情報を、紙媒体に印刷したり、繰出装置８０に送信したりすることによって、繰出装置８０によって実際に繰り出される紙葉類の順番、金種および種類を、記憶部５１から読み出された操作ログ情報および紙葉類に関する情報と比較することとなる。
【図面の簡単な説明】
【００７２】
【図１】本発明の実施の形態による釣銭機を示す斜視図。
【図２】本発明の実施の形態による釣銭機システムの構成を示す概略図。
【図３】本発明の実施の形態による釣銭機のテープリール式回収庫の構成を示す概略図。
【図４】本発明の実施の形態による紙葉類処理システムの繰出装置の構成を示す概略図。
【図５】本発明の実施の形態による釣銭機において、一の操作者のもとで強制的に収納された紙葉類と他の操作者のもとで強制的に収納された紙葉類との間隔が、同じ操作者のもとで強制的に収納された紙葉類の間隔よりも大きくなっている態様を示す概略図。
【図６】本発明の実施の形態による釣銭機の記憶部内に記憶されている情報を示した表図。
【符号の説明】
【００７３】
１        筐体
１０      テープリール式回収庫
２０      受入部
２５ａ，２５ｂ，２５ｃ  金種別収納庫
３０      出金一時保留部
３５      出金リジェクト部
３９      回収カセット
４０      入力部
５０      制御部
５１      記憶部
５５      識別部
６０      ＰＯＳレジスタ（外部装置）
７０      搬送機構
７１      搬送路
８０      繰出装置
Ｓ        センサ
Ｐ        紙葉類
【図１】
2010033439.tif 000003
【図２】
2010033439.tif 000004
【図３】
2010033439.tif 000005
【図４】
2010033439.tif 000006
【図５】
2010033439.tif 000007
【図６】
2010033439.tif 000008